(57)【要約】【課題】内針の特に首筋等の厚い皮膚への食いつきを容易にし、かつ又は、外針の薬液の注輸を安定確実にできるようにして、使用の容易性を格段に高める。【解決手段】細円柱状の本体（３）とこの本体から連続して延びる円錐状の先端部（４）とからなり、先端部に刃先（５）が形成された中実直針状の内針（２）と、中空直管状に形成されて内針が後端から挿入されて先端の開口部（２３）から突出すると共に、開口部が軸心に対して直角に形成された外針（２０）とを備えた医療用麻酔針（１）において、内針の先端部に１つ又は３つ以上の斜めカット面（６）を設けて刃先を形成し、かつ又は、外針の開口部近傍の側壁に総開口面積が開口部の開口面積よりも広い１つ又は周方向に分散した複数の横孔（２４）を形成する。【選択図】　　　　図２
2004105216.tif 000002
【特許請求の範囲】
【請求項１】
細円柱状の本体（３）と前記本体から連続して延びる円錐状の先端部（４）とからなり前記先端部に刃先（５，１２）が形成された中実直針状の内針（２，１１）と、中空直管状に形成されて前記内針が後端から挿入されて先端の開口部（２３）から突出すると共に前記開口部が軸心に対して直角に形成された外針（２０，３０，３５）とを備えた医療用麻酔針（１）において、前記内針の前記先端部に１つ又は３つ以上の斜めカット面（６，１３）を設けて前記刃先を形成したことを特徴とする医療用麻酔針。
【請求項２】
細円柱状の本体（３）と前記本体から連続して延びる円錐状の先端部（４）とからなり前記先端部に刃先（５，１２）が形成された中実直針状の内針（２，１１）と、中空直管状に形成されて前記内針が後端から挿入されて先端の開口部（２３）から突出すると共に前記開口部が軸心に対して直角に形成された外針（２０，３０，３５）とを備えた医療用麻酔針（１）において、前記外針の前記開口部近傍の側壁に総開口面積が前記開口部の開口面積よりも広い１つ又は周方向に分散した複数の横孔（２４，３１，３８）を形成したことを特徴とする医療用麻酔針。
【請求項３】
細円柱状の本体（３）と前記本体から連続して延びる円錐状の先端部（４）とからなり前記先端部に刃先（５，１２）が形成された中実直針状の内針（２，１１）と、中空直管状に形成されて前記内針が後端から挿入されて先端の開口部（２３）から突出すると共に前記開口部が軸心に対して直角に形成された外針（２０，３０，３５）とを備えた医療用麻酔針（１）において、前記内針の前記先端部に１つ又は３つ以上の斜めカット面（６，１３）を設けて前記刃先を形成し、かつ、前記外針の前記開口部近傍の側壁に総開口面積が前記開口部の開口面積よりも広い１つ又は周方向に分散した複数の横孔（２４，３１，３８）を形成したことを特徴とする医療用麻酔針。
【請求項４】
前記外針（３５）の外周面上に前記横孔（３８）と交差して周方向に延びる溝（３９）を形成したことを特徴とする、請求項２又は３に記載の医療用麻酔針。
【請求項５】
前記溝（３９）の上部角部及び底部角部をアール面で形成したことを特徴とする、請求項４に記載の医療用麻酔針。
【請求項６】
前記横孔（３１）の幅を軸方向に長く形成したことを特徴とする、請求項２ないし５のいずれか１つに記載の医療用麻酔針。
【発明の詳細な説明】
【０００１】
【発明の属する技術分野】
本発明は、先端に刃先を有する内針と、内針が挿通する中空直管状の外針とからなる医療用麻酔針に関する。
【０００２】
【従来の技術】
【特許文献１】
実用新案登録３０１８３６０号公報
【特許文献２】
ＷＯ９９／１６４８６号公報
【特許文献３】
実用新案登録３０１３７７１号公報
【０００３】
従来の医療用麻酔針は、
【特許文献１】、
【特許文献２】等に開示されているように、先端に刃先を有する内針と、この内針が挿通する中空直管状の外針とからなる。内針は細円柱状の本体とこの本体から連続して延びる円錐状の先端部とからなり、この先端部にいわゆるペンシルポイント状の刃先が形成されている。内針は、穿刺のみに使用し、薬液注輸時には外針から引き抜かれる。また、外針は、内針が後端から挿入されて先端の開口部から突出すると共に、この外針の先端開口部を通して薬液の注輸が行われる。
【０００４】
外針は、
【特許文献３】等に開示されているように、開口部の開口面積を拡大しかつ穿刺が容易になるようにその先端部が斜めカットされ、また薬液注輸が安定確実にできるように、開口部近傍の側壁に横孔を形成したものがある。しかしながら、この開口部が斜めカットされたものは硬膜壁を不必要に切削し、また横孔があるものは、横孔が硬膜壁に股がって穿刺さたときに硬膜下腔内への脊髄液もれが発生したりする。そこで、これらを防止するために、開口部を軸心に対し
て直角に形成したものが、上記
【特許文献１】、
【特許文献２】等に開示されている。
【０００５】
【発明が解決しようとする課題】
しかしながら、上述した従来の先端部にいわゆるペンシルポイント状の刃先が形成された内針は、その刃先形状が鋭利でないため、特に首筋等の厚い皮膚への食いつきが悪く、使用し難いという問題がある。
【０００６】
また、外針の先端開口部が軸心に対して直角に形成されたものには、開口部近傍の側壁に横孔を設けたものがなく、先端の開口部が血管の管壁等で塞がれた場合に、薬液の注輸に時間がかかりすぎたり、あるいは外針の刺し直しが必要になるなど、やはり使用し難いという問題がある。
【０００７】
本発明はこのような問題を解決するためになされたもので、内針については特に首筋等の厚い皮膚への食いつきを容易にし、かつ又は、開口部が軸心に対して直角に形成された外針については薬液の注輸を安定確実にできるようにして、使用の容易性を格段に高めた医療用麻酔針を提供することを課題とする。
【０００８】
【課題を解決するための手段】
上述の課題を解決するために、本発明が採用する手段は、細円柱状の本体と本体から連続して延びる円錐状の先端部とからなり先端部に刃先が形成された中実直針状の内針と、中空直管状に形成されて内針が後端から挿入されて先端の開口部から突出すると共に開口部が軸心に対して直角に形成された外針とを備えた医療用麻酔針において、内針の先端部に１つ又は３つ以上の斜めカット面を設けて刃先を形成したことにある。斜めカット面によって刃先を形成したことにより、首筋等の厚い皮膚への食いつきが極めてよくなる。
【０００９】
また、細円柱状の本体と本体から連続して延びる円錐状の先端部とからなり先端部に刃先が形成された中実直針状の内針と、中空直管状に形成されて内針が後端から挿入されて先端の開口部から突出すると共に開口部が軸心に対して直角に形成された外針とを備えた医療用麻酔針において、外針の開口部近傍の側壁に総開口面積が開口部の開口面積よりも広い１つ又は周方向に分散した複数の横孔を形成したことにある。外針の開口部近傍の側壁に総開口面積が開口部の開口面積よりも広い１つ又は周方向に分散した複数の横孔を形成したことにより、先端開口部が血管の管壁等で塞がれても、この横孔を通して薬液を安定確実に注輸できる。横孔を複数にすれば、先端開口部に加えて横孔のすべてが塞がれる可能性は一段と低くなる。
【００１０】
さらに、細円柱状の本体と本体から連続して延びる円錐状の先端部とからなり先端部に刃先が形成された中実直針状の内針と、中空直管状に形成されて内針が後端から挿入されて先端の開口部から突出すると共に開口部が軸心に対して直角に形成された外針とを備えた医療用麻酔針において、内針の先端部に１つ又は３つ以上の斜めカット面を設けて刃先を形成し、かつ、外針の開口部の近傍側壁に総開口面積が開口部の開口面積よりも広い１つ又は周方向に分散した複数の横孔を形成したことにある。斜めカット面を設けて刃先を形成したことにより、首筋等の厚い皮膚への食いつきが極めて容易になり、しかも外針の開口部近傍の側壁に総開口面積が開口部の開口面積よりも広い１つ又は周方向に分散した複数の横孔を形成したことにより、先端開口部が血管の管壁等で塞がれても、この横孔を通して薬液を安定確実に注輸できる。横孔を複数にすれば、先端開口部に加えて横孔のすべてが塞がれる可能性は一段と低くなる。
【００１１】
好ましくは、外針の外周面上に横孔と交差して周方向に延びる溝を形成したから、横孔の直上が血管の管壁等で塞がれても、この溝を通して薬液が安定確実に注輸できる。さらに好ましくは、溝の上部角部及び底部角部をアール面で形成したから、外針は極めて破損しにくくなる。
【００１２】
好ましくは、横孔の幅を軸方向に長く形成したから、横孔の全面が薄い血管の管壁等ですべて塞がれる可能性は低くなる。
【００１３】
【発明の実施の形態】
本発明に係る医療用麻酔針の発明の実施の形態を、図１ないし図５を参照して詳細に説明する。
【００１４】
図１に示すように、麻酔針１は、ステンレス鋼製の中実直針状の内針２と、ステンレス鋼製の中空直管状の外針２０とからなる。内針２の後端にはつまみ８が固定され、つまみ８の内周面には螺旋状の雌ねじ部９が形成される。外針２０の後端は針基２５に固定され、内針２は針基２５の針孔を通して外針２０内に挿入される。針基２５の後端から突出する部分には螺旋状の雄ねじ部２６が形成され、この雄ねじ部２６はつまみ８の雌ねじ部９と係合する。穿刺時には、雄ねじ部２６を雌ねじ部９に限度まで嵌めて、内針２の外針２０に対する軸方向の限度位置を規定する。このとき内針２の刃先５が外針２０の先端開口部２３から突出する。
【００１５】
図２（ａ）に示すように、内針２は、細円柱状の本体３とこの本体３から連続して延びる円錐状の先端部４とからなり、先端部４に刃先５が形成される。刃先５は、円錐状の先端部４が円周上、例えば三方から斜めカットされて、図２（ｂ）に示すように、３つの斜めカット面６から形成される。このように、本内針２の刃先５は３つの斜めカット面６から形成されるから、刃先５の先端は極めて鋭利となり、特に首筋等の厚い皮膚への食いつきがよく、極めて使いやすい。なお、図３（ａ）及び（ｂ）に示すように、内針１１の刃先１２を１つの斜めカット面１３から形成してもよいし、あるいは図示しない４つ以上の斜めカット面から形成してもよい。使用目的に応じて、斜めカット面の数を適宜選択する。
【００１６】
図２（ａ）に示すように、外針２０は、内針本体３の外径よりもその内径がわずかに大きい直管状の本体２１と、この本体２１から連続する外形が先細テーパ状の先端部２２とからなり、先端部２２の端面には、開口部２３が軸心に対して直角に形成される。開口部２３の内径は、内針２が外針２０に対する軸方向の限度位置にあるとき、開口部２３の位置における内針２の外径よりも僅かに小さく形成されて、開口部２３において内針２と外針２０は密着する。したがって、開口部において内針と外針とが密着していないものと比べて、穿刺時に内針と外針との隙間に神経組織が噛み込まれることがなく、患者は苦痛を感じない。
【００１７】
図２（ａ）及び（ｃ）に示すように、外針２０の本体２１から先端部２２にかけて、周方向に分散して、例えば直径位置に、２つの円形の横孔２４が穿設される。２つの横孔２４の総開口面積は、開口部２３の開口面積よりも広く形成されている。このため、先端開口部２３が血管の管壁等で塞がれても、２つの横孔２４を通して薬液を安定確実に注輸できる。また、図４に示すように、外針３０の横孔３１を、軸方向に長く形成してもよい。この場合、横孔３１の全面が薄い血管の管壁等ですべて塞がれる可能性は低くなり、薬液を安定確実に注輸できる。
【００１８】
図５（ａ）及び（ｂ）に示されるように、その幅が横孔３８の軸方向幅よりも広く形成されて、横孔３８と交差しかつ周方向に水平に延びる溝３９を、外針２０の外周面上に形成してもよい。これにより、横孔３８の直上が血管の管壁等で塞がれても、この溝３９を通して薬液が安定確実に注輸できる。図５（ｃ）に示されるように、この溝３９は、その軸方向の外形が先端部３６から本体３７にかけて、半径がｒ１　，ｒ２　，ｒ３　，ｒ４　の４つのアール面で形成されている。このように、溝３９の上部角部及び底部角部がそれぞれアール面で形成されているから、外針３５は極めて破損しにくい。ただし、このアール加工は必ずしも施さなくてもよい。
【００１９】
なお、上述した麻酔針１は、内針２の先端部４に斜めカット面６，１３を設け、かつ外針２０に対して横孔２４，３１，３８を設けるものであったが、これ限定されるものではなく、いずれか一方だけを備えたものでもよい。いずれか一方だけであっても使用の容易性が格段に高まる。また、外針の横孔の数は必ずしも１つ又は２つに限定されるものではなく、周方向に分散した３つ以上のものであってもよい。
【００２０】
【発明の効果】
以上詳細に説明したように、本発明の医療用麻酔針は、細円柱状の本体と本体から連続して延びる円錐状の先端部とからなり先端部に刃先が形成された中実直針状の内針と、中空直管状に形成されて内針が後端から挿入されて先端の開口部から突出すると共に開口部が軸心に対して直角に形成された外針とを備えた医療用麻酔針において、内針の先端部に１つ又は３つ以上の斜めカット面を設けて刃先を形成する。したがって、内針について特に首筋等の厚い皮膚への食いつきがよくなり、使用の容易性が格段に高まるという優れた効果を奏する。
【００２１】
また、細円柱状の本体と本体から連続して延びる円錐状の先端部とからなり先端部に刃先が形成された中実直針状の内針と、中空直管状に形成されて内針が後端から挿入されて先端の開口部から突出すると共に開口部が軸心に対して直角に形成された外針とを備えた医療用麻酔針において、外針の開口部近傍の側壁に総開口面積が開口部の開口面積よりも広い１つ又は周方向に分散した複数の横孔を形成する。したがって、開口部が軸心に対して直角に形成された外針について薬液の注輸が安定確実にできるようになり、使用の容易性が格段に高まるという優れた効果を奏する。
【００２２】
さらに、細円柱状の本体と本体から連続して延びる円錐状の先端部とからなり先端部に刃先が形成された中実直針状の内針と、中空直管状に形成されて内針が後端から挿入されて先端の開口部から突出すると共に開口部が軸心に対して直角に形成された外針とを備えた医療用麻酔針において、内針の先端部に１つ又は３つ以上の斜めカット面を設けて刃先を形成し、かつ、外針の開口部の近傍側壁に総開口面積が開口部の開口面積よりも広い１つ又は周方向に分散した複数の横孔を形成する。したがって、内針について特に首筋等の厚い皮膚への食いつきがよくなり、かつ、開口部が軸心に対して直角に形成された外針について薬液の注輸が安定確実にできるようになり、使用の容易性が格段に高まるという優れた効果を奏する。
【図面の簡単な説明】
【図１】本発明に係る医療用麻酔針１を示す正面図である。
【図２】（ａ）は図１の麻酔針１の詳細を示す正面断面図であり、（ｂ）は左側面図であり、（ｃ）は平面図である。
【図３】（ａ）は別の内針１１を示す正面図であり、（ｂ）は平面図である。
【図４】別の横孔３１を示す平面図である。
【図５】（ａ）はさらに別の横孔３８を示す正面図であり、（ｂ）は（ａ）の矢線Ｖ−Ｖにおける断面図であり、（ｃ）は（ａ）の横孔３８の拡大図である。
【符号の説明】
１　麻酔針
２　内針
３　本体
４　先端部
５　刃先
６　斜めカット面
８　つまみ
９　雌ねじ部
１１　内針
１２　刃先
１３　斜めカット面
２０　外針
２１　本体
２２　先端部
２３　開口部
２４　横孔
２５　針基
２６　雄ねじ部
３０　外針
３１　横孔
３５　外針
３６　先端部
３７　本体
３８　横孔
３９　溝
【図１】
2004105216.tif 000003
【図２】
2004105216.tif 000004
【図３】
2004105216.tif 000005
【図４】
2004105216.tif 000006
【図５】
2004105216.tif 000007